(57)【特許請求の範囲】
【請求項１】
ランプと前記ランプを着脱可能に保持する基体とを備える照明装置であって、
前記ランプの一端部に設けられる取付部と、
半導体により発光し配向性を有する第一光源であって、前記取付部と当該第一光源とを仮想的に結ぶ軸である配置軸と光軸とが交差するように当該ランプ内に配置される第一光源と、
前記ランプに設けられ、前記第一光源を駆動する電力を受電するための受電端子と、
前記ランプに設けられ、前記配置軸に沿った回転軸における当該ランプの回転方向の位置を決定する第一係合部と、
前記基体に設けられ、前記取付部が取り付けられて前記ランプを保持する保持手段と、
前記第一係合部と前記保持手段とが係りあった状態において、０度以上、２７０度未満の範囲から選定される回転角度で前記回転軸を中心とした前記ランプの回転を可能とする回転部と、
前記回転部の端部に設けられ、前記第一係合部と係合し前記光軸の前記基体に対する方向を決定する第二係合部と、
前記第一光源を駆動する駆動手段と
前記基体に設けられ、アースと電気的に接続されるアース端子と、
を備え
前記ランプは、
前記第一光源を収容し、前記配置軸と垂直な断面形状が前記配置軸方向に連続して同じ形状の筐体と、
前記配置軸において前記取付部と反対側の前記筐体の端部を閉塞する別体の閉塞部材と、
前記閉塞部材に設けられ、前記アース端子と接続可能な接続端子と
を備える照明装置。
【請求項２】
さらに、
前記第一光源と電気的に直列に接続され、前記第一光源と光軸をそろえて前記配置軸上に配置される第二光源
を備える請求項１に記載の照明装置。
【請求項３】
さらに、
前記第一光源、および、第二光源が表面に取り付けられ、長手方向が前記配置軸に沿って配置される長尺板状の基板
を備える請求項２に記載の照明装置。
【請求項４】
前記駆動手段は、前記受電端子と前記第一光源との間に電気的に接続され、前記第一光源と前記取付部との間に配置される
請求項１〜３のいずれか一項に記載の照明装置。
【請求項５】
前記第一係合部と前記第二係合部とが係合した状態において、前記アース端子と前記接続端子とが電気的に接続されるように前記アース端子、および、前記接続端子が配置される
請求項１に記載の照明装置。
【請求項６】
請求項１に記載の保持手段に保持される取付部と、
半導体により発光し配向性を有する第一光源であって、前記取付部と当該第一光源とを
仮想的に結ぶ軸である配置軸と光軸とが交差するように配置される第一光源と、
前記ランプに設けられ、前記第一光源を駆動する電力を受電するための受電端子と、
前記取付部に設けられ、前記配置軸に沿った回転軸で０度以上、２７０度未満の範囲から選定される回転角度で前記取付部を前記第一光源と共に回転させることにより前記保持手段と係合して前記第一光源の光軸の方向を決定する第一係合部と、
前記受電端子と前記第一光源との間に電気的に接続され、前記第一光源と前記取付部との間に配置される前記第一光源を駆動する駆動手段と、
前記第一光源を収容し、前記配置軸と垂直な断面形状が前記配置軸方向に連続して同じ形状の筐体と、
前記配置軸において前記取付部と反対側の前記筐体の端部を閉塞する別体の閉塞部材と、
前記閉塞部材に設けられ、アースと電気的に接続されるアース端子と接続可能な接続端子と
を備えるランプ。
【発明の詳細な説明】
【技術分野】
【０００１】
本願発明は、半導体により発光する有機ＥＬ（Ｅｌｅｃｔｒｏ  Ｌｕｍｉｎｅｓｃｅｎｃｅ）や、ＬＥＤ（Ｌｉｇｈｔ  Ｅｍｉｔｔｉｎｇ  Ｄｉｏｄｅ）を用いたランプ及び照明装置に関する。
【背景技術】
【０００２】
近年、発光ダイオード（ＬＥＤ）や有機ＥＬなどの半導体を用いた発光素子は、高効率で省スペースな光源として、各種ランプに使用されている。
【０００３】
このようなランプは、半導体を用いた発光モジュールを備えており、発光モジュールは、基板に実装されたＬＥＤや有機ＥＬ素子が樹脂によって封止されて構成されている。また、このような発光モジュールを備えたランプとしては、筐体状のもの（直管型ランプ）及び電球状のもの（電球型ランプ）があるが、いずれのランプにおいても複数個のＬＥＤや有機ＥＬ素子が基板上に配列されて構成される発光モジュールが用いられる（例えば特許文献１参照）。
【先行技術文献】
【特許文献】
【０００４】
【特許文献１】特開２００９−４３４４７号公報
【発明の概要】
【発明が解決しようとする課題】
【０００５】
ところで、ＬＥＤや有機ＥＬ素子は、配向性を備えており、前記素子が配列された発光モジュールも全体として配向性を備えている。
【０００６】
従って、従来の電球型ランプのように、ねじにより天井や壁に取り付けた場合、光軸が予期せぬ方向に向いた状態でランプが取り付けられる場合がある。
【０００７】
そこで、本願発明は、かかる問題点に鑑み、光軸を所期する方向に向けて固定することのできる照明装置、および、当該照明装置に用いられるランプを提供することを目的とする。
【課題を解決するための手段】
【０００８】
上記目的を達成するために、本願発明にかかる照明装置は、ランプと前記ランプを着脱可能に保持する基体とを備える照明装置であって、前記ランプの一端部に設けられる取付部と、半導体により発光し配向性を有する第一光源であって、前記取付部と当該第一光源とを仮想的に結ぶ軸である配置軸と光軸とが交差するように当該ランプ内に配置される第一光源と、前記ランプに設けられ、前記第一光源を駆動する電力を受電するための受電端子と、前記ランプに設けられ、前記配置軸に沿った回転軸における当該ランプの回転方向の位置を決定する第一係合部と、前記基体に設けられ、前記取付部が取り付けられて前記ランプを保持する保持手段と、前記第一係合部と前記保持手段とが係りあった状態において、０度以上、２７０度未満の範囲から選定される回転角度で前記回転軸を中心とした前記ランプの回転を可能とする回転部と、前記回転部の端部に設けられ、前記第一係合部と係合し前記光軸の前記基体に対する方向を決定する第二係合部と、前記第一光源を駆動する駆動手段とを備えることを特徴としている。
【０００９】
本態様によれば、基体に対してランプの配向方向、すなわち第一光源の光軸を容易かつ確実に決めることが可能となる。
【００１０】
さらに、前記第一光源と電気的に直列に接続され、前記第一光源と光軸をそろえて前記配置軸上に配置される第二光源を備えてもよい。
【００１１】
これによれば、配置軸に長いランプであっても、長手方向に均一な光を放射する照明装置とすることが可能となる。
【００１２】
さらに、前記第一光源、および、第二光源が表面に取り付けられ、長手方向が前記配置軸に沿って配置される長尺板状の基板を備えてもよい。
【００１３】
これによれば、光源をモジュール化することができ、長尺のランプにも柔軟に対応することが可能となる。
【００１４】
また、前記駆動手段は、前記受電端子と前記第一光源との間に電気的に接続され、前記第一光源と前記取付部との間に配置されるものでもよい。
【００１５】
これにより、当該照明装置を施工する場合に、電気工事を簡易化することができる。
【００１６】
また、前記ランプは、前記第一光源を収容し、前記配置軸と垂直な断面形状が前記配置軸方向に連続して同じ形状の筐体と、前記配置軸において前記取付部と反対側の前記筐体の端部を閉塞する別体の閉塞部材とを備えてもよい。
【００１７】
これによれば、筐体の長さを柔軟に変更することができ。長さの異なる照明装置を種々提供することが可能となる。
【００１８】
また、前記基体に設けられ、アースと電気的に接続されるアース端子と、前記閉塞部材に設けられ、前記アース端子と接続可能な接続端子とを備えてもよい。
【００１９】
これによれば、静電気がランプにとどまることを回避することができる。
【００２０】
また、前記第一係合部と前記第二係合部とが係合した状態において、前記アース端子と前記接続端子とが電気的に接続されるように前記アース端子、および、前記接続端子が配置されるものでもよい。
【００２１】
これによればアース端子と接続端子とをランプの固定と共に接続することができ、基体に対するランプの取り付け作業を容易化することができる。
【００２２】
また、上記目的を達成するために本願発明に係るランプは、取付部と、半導体により発光し配向性を有する第一光源であって、前記取付部と当該第一光源とを仮想的に結ぶ軸である配置軸と光軸とが交差するように配置される第一光源と、前記ランプに設けられ、前記第一光源を駆動する電力を受電するための受電端子と、前記取付部に設けられ、前記配置軸に沿った回転軸で０度以上、２７０度未満の範囲から選定される回転角度で前記取付部を前記第一光源と共に回転させることにより前記保持手段と係合して前記第一光源の光軸の方向を決定する第一係合部と、前記受電端子と前記第一光源との間に電気的に接続され、前記第一光源と前記取付部との間に配置される前記第一光源を駆動する駆動手段とを備えることを特徴とする。
【００２３】
これによれば、対応する基体にランプを取り付けることで、基体に対してランプの配向方向、すなわち第一光源の光軸を容易かつ確実に決めることが可能となる。
【発明の効果】
【００２４】
本願発明の一態様によれば、ランプの構造を複雑化することなく基板の割れを抑えることが可能なランプ及び照明装置を実現できるという効果が奏される。
【図面の簡単な説明】
【００２５】
【図１】図１は、基体にランプが取り付けられた状態の照明装置を示す斜視図である。
【図２】図２は、基体からランプが取り外された状態の照明装置を示す斜示図である。
【図３】図３は、基体にランプが取り付けられた状態の照明装置の内部を一部切り欠いて示す斜視図である。
【図４】図４は、発光モジュールを模式的に示す斜示図である。
【図５】図５は、発光モジュールの連結状態を示す斜示図である。
【図６】図６は、筐体をはずした状態の取付部近傍を第一光源側から模式的に示す斜示図である。
【図７】図７は、筐体内部を示す斜示図である。
【図８】図８は、保持手段を断面で示す平面図である。
【図９】図９は、保持手段を示す斜示図である。
【図１０】図１０は、取付前のランプと基体との一部を示す斜示図である。
【図１１】図１１は、ランプの取付部と基体の保持手段とが係りあった状態を示す斜示図である。
【図１２】図１２は、第一係合部と第二係合部とが係合して光軸の基体に対する方向が決定された状態を示す斜示図である。
【図１３】図１３は、基体に対しランプが固定された状態を示す斜示図である。
【図１４】図１４は、別態様の基体からランプが取り外された状態の照明装置を示す斜示図である。
【図１５】図１５は、基体にランプが取り付けられた状態の照明装置を示す斜視図である。
【図１６】図１６は、基体からランプが取り外された状態の照明装置を示す斜示図である。
【図１７】図１７は、保持手段を示す斜示図である。
【発明を実施するための形態】
【００２６】
次に、本願発明に係る照明装置、および、ランプの実施の形態について、図面を参照しつつ説明する。なお、以下の実施の形態は、本願発明に係る照明装置、および、ランプの一例を示したものに過ぎない。従って、本願発明は、以下の実施の形態を参考に請求の範囲の文言によって範囲が画定される。
【００２７】
（実施の形態１）
図１は、基体にランプが取り付けられた状態の照明装置を示す斜視図である。
【００２８】
図２は、基体からランプが取り外された状態の照明装置を示す斜示図である。
【００２９】
図３は、基体にランプが取り付けられた状態の照明装置の内部を一部切り欠いて示す斜視図である。
【００３０】
これらの図に示すように、照明装置６００は、ランプ１００とランプ１００を着脱可能に保持する基体７０３とを備える装置あって、本実施の形態の場合、ランプ１００は、第一光源３２１と、取付部２０１と、第一係合部２２１と、受電端子２０２と、駆動手段８００とを備え、基体７０３は、保持手段７０１と、回転部２２３と、第二係合部２２２とを備えている。ランプ１００はさらに、第二光源３２２と、基板３０１と、筐体２００と、閉塞部材２０４と、接続端子２０６とを備え、基体７０３は、アース端子２０５と、コネクタ２０７とを備えている。
【００３１】
取付部２０１は、図２に示すように、ランプ１００の一端部に設けられる部分であり、取付部２０１を保持することでランプ１００の全体を保持することができる構造的強度を備える部分である。本実施の形態の場合、取付部２０１の先端部の外観形状は、保持手段７０１に対しランプ１００の長手方向（図中Ｙ軸方向）に挿入可能で、保持手段７０１に挿入した状態でＹ軸方向に沿った回転軸を中心に回転可能な断面円形の棒形状となっている。また、取付部２０１は、前記棒形状の先端部と筐体２００とをテーパー状に結ぶテーパー部を備えている。
【００３２】
第一光源３２１は、半導体により発光し配向性を有する光を放射する素子であって、例えばＬＥＤや有機ＥＬ素子などを挙示することができる。また、第一光源３２１は、図３に示すように、取付部２０１と当該第一光源３２１とを仮想的に結ぶ軸である配置軸Ａ（図中Ｙ軸方向）と光軸Ｂ（図中Ｚ軸方向）とが交差するようにランプ１００内に配置されている。
【００３３】
ここで、光軸Ｂとは第一光源３２１から放射される光の内、最も強い光の位置と第一光源３２１とを仮想的に結ぶ軸である。つまり、第一光源３２１の配向性を示す軸が光軸Ｂである。本実施の形態の場合光軸Ｂは、第一光源３２１の表面から垂直に延びる軸である。
【００３４】
また、半導体により発光するとは、半導体自体が発光するＬＥＤや、半導体を用いることにより発光する有機ＥＬ素子を含む意味で用いている。
【００３５】
具体的に例えば、第一光源３２１は、単色の可視光を発するベアチップである。第一光源３２１としては、例えば青色光を発光する青色ＬＥＤチップ等が用いられる。青色ＬＥＤチップとしては、ＩｎＧａＮ系の材料によって構成された、中心波長が４５０［ｎｍ］〜４７０［ｎｍ］の窒化ガリウム系の半導体発光素子等を用いることができる。
【００３６】
図４は、発光モジュールを模式的に示す斜示図である。
【００３７】
発光モジュール３００は、第一光源３２１が表面に設けられる基板３０１と、蛍光体含有部材３０２とを備えている。また本実施の形態の場合、発光モジュール３００は、第二光源３２２を備えている。なお、発光モジュール３００が備える第一光源３２１や第二光源３２２と同様の素子を総称して光源３２０と記す場合がある。
【００３８】
第二光源３２２は、第一光源３２１と電気的に直列に接続され、第一光源３２１と光軸Ｂをそろえて配置軸Ａ上に配置される素子である。本実施の形態の場合、第二光源３２２は、第一光源３２１と同じものであるため、詳細な説明を省略する。
【００３９】
発光モジュール３００は、基板３０１の表面に、光源３２０がダイアタッチ剤等によって基板３０１の長手方向（図中Ｙ軸方向）に一列に並んで直線状（一次元状）に実装（ダイボンディング）されたラインモジュールである。基板３０１の表面に実装された光源３２０は共通の１つの蛍光体含有部材３０２により覆われている。共通の蛍光体含有部材３０２で覆われた光源３２０は、基板３０１表面に形成された配線パターン（図示せず）により直列接続されている。
【００４０】
蛍光体含有部材３０２は、単一色で発光する光源３２０からの光の一部を蛍光体に吸収させると共に、異なる波長の光を蛍光体から発生させ、光源３２０からの光と前記蛍光体からの光を混ぜ合わせて外部に放射することにより、白色光など照明に適用しうる色を放射する部材である。蛍光体含有部材３０２は、透明、又は、半透明の樹脂に蛍光体が分散した状態で存在するものであり、断面が上に凸の略半円状のドーム形状となっている。蛍光体含有部材３０２は、配置軸Ａに沿って一列に配置される光源３２０に沿って、一つの基板３０１上に配置される全ての光源３２０を一体に覆うように配置されている。
【００４１】
また、蛍光体含有部材３０２は、光源３２０を封止する機能を備えており、光源３２０を空気や湿気から保護する。蛍光体含有部材３０２は、光源３２０が取り付けられた基板３０１に柔軟性のある状態で塗布によって形成するものであり、容易にドーム形状を形成するために、チクソ性の高い樹脂で構成することが好ましい。
【００４２】
なお、光源３２０を被覆するための封止部材と蛍光体含有部材３０２とを別体としてもよく、これらの材料は、樹脂に限定されるものではない。例えば、チップ封止用として知られている、ガラスのような透明性材料であってもよい。
【００４３】
蛍光体含有部材３０２に含まれる蛍光体は、微粒子等からなる光波長変換体である。蛍光体は例えば、光源３２０が青色ＬＥＤである場合、白色光を得るために、黄色蛍光体の微粒子が好適に用いられる。この黄色蛍光体としては、ＹＡＧ（イットリウム・アルミニウム・ガーネット）系蛍光体材料、やシリケート系蛍光体材料などが例示できる。また、前記蛍光体を分散状に担持する樹脂としては、シリコーン樹脂を例示することができる。
【００４４】
基板３０１は、第一光源３２１、および、第二光源３２２が表面に取り付けられ、長手方向が配置軸Ａに沿って配置される長尺板状の部材である。例えば基板３０１は、透光性を有する窒化アルミニウム等のセラミック基板で構成される。なお基板３０１の材質は限定されるものではなく、絶縁性を備える材料であれば、樹脂やガラス等でもかまわない。また、基板３０１は、剛体ばかりでなく、可撓性を備えたフレキシブル基板でもよい。
【００４５】
具体的には、第一光源３２１、および、第二光源３２２を含む光源３２０は、基板３０１にフリップチップ実装又はワイヤーボンディング実装されている。
【００４６】
また、本実施の形態の場合、図４に示すように、基板３０１の長手方向の両端部には、光源３２０と電気的に接続される光源側端子３０６が設けられている。さらに、基板３０１の長手方向の両端部には、光源３２０に電流を流すために用いられるが基板３０１においては光源と電気的に接続されていない第二接続端子３０５が設けられている。また、一端部の第二接続端子３０５から他端部の第二接続端子３０５を電気的に接続する導線３０４が設けられている。なお、図４では、基板３０１にプリント配線により設けられた導線３０４が示されているが、導線３０４は、針金状や糸状の部材でもかまわない。
【００４７】
このように、基板３０１の両端部に光源側端子３０６や第二接続端子３０５を設ける事で、図５に示すように、複数の基板３０１を長手方向をそろえて並べた場合に第二コネクタ３０７などを用いて、容易に光源３２０を電気的に直列接続することができ、容易に導線３０４を電気的に直列接続することができる。さらに、光源側端子３０６と第二接続端子３０５とを接続する終端コネクタ３０８を用いれば、基板３０１の一端部から導入した電流を同じ一端部から導出することができ、基板３０１の一端部側に設けられる駆動手段８００と光源３２０および導線３０４とを容易に接続することが可能となる。
【００４８】
これによれば、上記接続が簡単になる効果に加え、同一の規格の基板３０１を製造し、接続する基板３０１の数を変更すれば、光源３２０が発光する領域を長さ方向に容易に調整することが可能となり、長さの異なるランプ１００を容易に提供することが可能となる。
【００４９】
受電端子２０２は、ランプ１００に設けられ、第一光源３２１を駆動する電力をランプ１００の外方から受電し、ランプ１００の内部に導入するための端子である。本実施の形態の場合、受電端子２０２は、取付部２０１のテーパー部に放射方向に向いて取り付けられている。また、ランプ１００の内部に駆動手段８００が設けられているため、受電端子２０２は交流により電力を受電することができるものとなっており、基体７０３から延びる電線の先端に設けられたコネクタ２０７と接続することによって、電力を受電する。
【００５０】
図６は、筐体をはずした状態の取付部近傍を第一光源側から模式的に示す斜示図である。なお、図６は、蛍光体含有部材３０２等一部を省略して示している。
【００５１】
駆動手段８００は、第一光源３２１を駆動する装置である。本実施の形態の場合、同図に示すように、駆動手段８００は、受電端子２０２と第一光源３２１との間に電気的に接続され、第一光源３２１と取付部２０１との間であって取付部２０１の内方に配置されている。なお、請求の範囲、および、明細書において「第一光源３２１と取付部２０１との間」との語は、取付部２０１の内方も含むものとして用いている。
【００５２】
基体７０３側から供給される電力は交流であり、光源３２０が発光するには直流が必要となるため、駆動手段８００は、整流回路素子を備えている。整流回路素子は、例えばダイオードブリッジ回路等であり、受電端子２０２を介して供給される交流電力を直流に変化する素子である。
【００５３】
第一係合部２２１は、ランプ１００に設けられ、配置軸Ａに沿った回転軸Ｃ（図２参照）におけるランプ１００の回転方向Ｄの位置を決定する部分である。本実施の形態の場合、第一係合部２２１は、取付部２０１の先端部の外周面に放射方向に突出状態で一体に設けられた棒状の部材である。
【００５４】
筐体２００は、第一光源３２１を内方に収容する部材であり、本実施の形態の場合、配置軸Ａと垂直な断面（ＺＸ平面における断面）の形状が配置軸Ａの方向に連続して同じ形状の部材である。筐体２００は、取付部２０１から配置軸Ａに沿って延びた状態で配置されており、筐体２００の一端は取付部２０１により閉塞され、他端は閉塞部材２０４で閉塞されている。また、図７に示すように、第一光源３２１を筐体２００の内方で固定するため、基板３０１と筐体２００の内周面との間には、取付台３０９が設けられている。なお、図７は、蛍光体含有部材３０２等一部を省略して示している。
【００５５】
筐体２００を前記形状にすることにより、筐体２００を押出し（引き抜き）加工等で長尺の部材を成形し、当該部材を切り出すことで筐体２００を容易に得ることが可能となる。また、切り出す位置を変更するだけで筐体２００の長さを変更できるため、長さの異なるランプ１００を容易に製造することができる。特に、前記構造の基板３０１と相まって、長さの異なるランプ１００を容易に製造することが可能となる。
【００５６】
筐体２００は、透明、半透明など可視光を透過する材料で形成されている。筐体２００を構成する材料としては、ガラス、アクリル、ポリカーボネート等を例示することができる。
【００５７】
また、取付台３０９は、複数の発光モジュール３００（基板３０１）、例えば８つの発光モジュール３００を保持するものであり、熱伝導性の高い材料で構成されることが好ましい。また、発光モジュール３００を取付台３０９取り付けるには、熱伝導性の高い接着材で取り付けることが好ましい。
【００５８】
閉塞部材２０４は、配置軸Ａにおいて取付部２０１と反対側の筐体２００の端部を閉塞する筐体２００とは別体の部材である。このように、断面形状が配置軸Ａの方向に連続して同じ形状の筐体２００の端部を別部材の閉塞部材２０４で閉塞することにより、筐体２００の長さが変わった場合でも、共通の閉塞部材２０４で端部を閉塞することが可能となる。従って、効率的に閉塞部材２０４を製造することができ、省エネルギーに資することが可能となる。
【００５９】
接続端子２０６は、閉塞部材２０４に設けられ、アース端子２０５と接続可能な端子である。接続端子２０６は、取付台３０９と接続されており、ランプ１００に発生する静電気などをアースに流すための端子である。本実施の形態の場合、接続端子２０６は、第一係合部２２１と第二係合部２２２とが係合した状態において、アース端子２０５と電気的に接続されるように閉塞部材２０４の外周面の一部に配置されている。
【００６０】
アース端子２０５は、基体７０３に設けられ、アース（図示せず）と電気的に接続される端子である。本実施の形態の場合、アース端子２０５は、復元性（弾性）を備えており、ランプ１００が基体７０３に取り付けられた状態で、アース端子２０５は、若干反った状態となり、元の状態に戻ろうとする復元力によりアース端子２０５と接続端子２０６とが電気的に強く接続するものとなっている。
【００６１】
なお、本実施の形態の場合、アース端子２０５は、復元力により接続端子２０６と電気的に接続するものとしたが、接続端子２０６とアース端子２０５とをコネクタにより接続してもかまわない。また、接続端子２０６は閉塞部材２０４にねじにより没入することができるものであり、接続端子２０６と閉塞部材２０４との間にアース端子２０５を挟み込むことで電気的に接続してもかまわない。
【００６２】
図８は、保持手段を断面で示す平面図である。
【００６３】
図９は、保持手段を示す斜示図である。
【００６４】
これらの図に示すように、保持手段７０１は、基体７０３に設けられ、取付部２０１が取り付けられてランプ１００を保持する部材である。保持手段７０１は、回転部２２３と第二係合部２２２とを備え、さらに、バネなどからなる付勢手段７０４と、付勢手段７０４と接続されて、挿入される取付部２０１を押し返す付勢板７０２を備えている。
【００６５】
回転部２２３は、第一係合部２２１と保持手段７０１とが係りあった状態において、０度以上、２７０度未満の範囲から選定される回転角度Ｅで回転軸Ｃを中心としたランプ１００の回転を可能とする部分である。本実施の形態の場合、回転部２２３は、第一係合部２２１の通過を許容する取付部２０１に設けられたスリット（溝）であり、回転角度Ｅを９０度に選定している。つまり、回転部２２３は、第一係合部２２１が真上を向いた状態から水平方向に向く状態までのランプ１００の回転を許容している。
【００６６】
第二係合部２２２は、回転部２２３の端部に設けられ、第一係合部２２１と係合し光軸Ｂの基体７０３に対する方向を決定する部分である。本実施の形態の場合、第一係合部２２１と第二係合部２２２とが係合した状態において、付勢板７０２がランプ１００を押し返し、第一係合部２２１が嵌合部２２４に嵌合するものとなっている。このように第一係合部２２１と嵌合部２２４とが嵌合状態となることで、ランプ１００が保持手段７０１に固定されることとなる。
【００６７】
次に、ランプ１００の基体７０３への着脱方法を説明する。
【００６８】
図１０は、取付前のランプと基体との一部を示す斜示図である。
【００６９】
同図に示すように、ランプ１００の取付部２０１と保持手段７０１の凹陥部とが対峙するように、ランプ１００を配置する。この段階では、ランプ１００の配向方向を示す光軸Ｂの基体７０３に対する位置、および、方向は定まっていない。
【００７０】
図１１は、ランプの取付部と基体の保持手段とが係りあった状態を示す斜示図である。
【００７１】
図１０から図１１に至るように、ランプ１００を配置軸Ａに沿って保持手段７０１に向かって移動させる。そして、取付部２０１に設けられている第一係合部２２１を保持手段７０１に設けられているスリット２２５（図１０参照）に対してスライドさせながら、取付部２０１を保持手段７０１に挿入する。この段階において、取付部２０１の先端部は、付勢手段７０４の付勢力に抗しながら保持手段７０１に備えられている付勢板７０２を押し下げている。ランプ１００の基体７０３に対する移動は、第一係合部２２１が回転部２２３に至るまで行われる。
【００７２】
図１２は、第一係合部と第二係合部とが係合して光軸の基体に対する方向が決定された状態を示す斜示図である。
【００７３】
図１１から図１２に至るように、取付部２０１と保持手段７０１とが係りあうことにより位置が決定される回転軸Ｃを中心軸として、基体７０３に対してランプ１００を回転方向Ｄに沿って回転させる。この段階では、第一係合部２２１と保持手段７０１に設けられる回転部２２３とが係りあった状態となっており、第一係合部２２１が回転部２２３により案内されてランプ１００が回転する。
【００７４】
ここで、回転部２２３は、回転軸Ｃと垂直に交差する面内に配置されており、基体７０３に対してランプ１００を回転させている状態においては、ランプ１００は、回転軸Ｃの方向（配置軸Ａの方向）には固定され、移動しないものとなっている。本実施の形態の場合、回転部２２３は、第一係合部２２１を受け入れて回転部２２３まで案内するスリット２２５から第二係合部２２２まで、回転軸Ｃを中心として９０度の範囲全体に設けられている。従って、ランプ１００と基体７０３とが係りあった状態において、ランプ１００が基体７０３に対して回転する回転角度は、回転部２２３によって定められており、０度以上、２７０度未満の範囲から選定される９０度に設定されている。
【００７５】
そして、回転部２２３の端部に設けられる第二係合部２２２と第一係合部２２１とが係合することにより、光軸Ｂの基体７０３に対する方向が決定される。本実施の形態の場合、第一係合部２２１と第二係合部２２２とが係合することにより、光軸Ｂは、基体７０３の主面７０５に対して垂直となるように設定されている。
【００７６】
図１３は、基体に対しランプが固定された状態を示す斜示図である。
【００７７】
図１２から図１３に至るように、ランプ１００に付与していた挿入方向の力を解除する。具体的には、第一係合部２２１と第二係合部２２２とが係合した状態において、付勢手段７０４の付勢力に抗して回転軸Ｃ（配置軸Ａ）に沿った挿入方向に付与していた力をランプ１００から解除すれば、付勢手段７０４の付勢力によって付勢板７０２がランプ１００を回転軸Ｃに沿った方向にわずかに移動させ、第一係合部２２１を嵌合部２２４に嵌合させる。以上によって基体７０３に対してランプ１００が固定される。
【００７８】
なお、基体７０３に対してランプ１００が固定された状態において、図１に示すようにアース端子２０５と閉塞部材２０４に設けられる接続端子２０６とが接続される。
【００７９】
最後に、コネクタ２０７を受電端子２０２に接続することにより、基体７０３側からランプ１００に電力を供給することが可能となる。
【００８０】
以上の照明装置６００によれば、第一光源３２１と取付部２０１とを仮想的に結ぶ軸である配置軸Ａと第一光源３２１の光軸Ｂとが交差するように配置されるランプ１００を、基体７０３に対する光軸Ｂの方向を決定した状態で基体７０３に取り付けることがでる。従って、ランプ１００を基体７０３に取り付けた後光軸Ｂの調整などをする必要がなくなり、ランプ１００の取付を容易にすることができる。
【００８１】
また、ランプ１００を基体７０３に取り付けた状態で、受電端子２０２の位置も決定するため、コネクタ２０７を容易に取り付けることも可能となる。
【００８２】
特に回転角度Ｅを０度以上、２７０度未満の範囲から選定することにより、ランプ１００を基体７０３に取り付ける際にランプ１００の向き（光軸Ｂ）を見失うことなく取り付けることができ、ランプ１００の取付を確実に行うことが可能となる。特に、回転角度Ｅを０度以上１８０度未満の範囲から選定すると、ランプ１００を基体７０３に取り付ける際にランプ１００の向き（光軸Ｂ）を一方向からの目視で確認することができるため好ましい。
【００８３】
なお、受電端子２０２は、本実施の形態のように、ランプ１００を基体７０３に取り付ける作業とは別にコネクタ２０７と接続する作業が必要な場合ばかりでなく、図１４に示すように、ランプ１００を基体７０３に取り付けることによりコネクタ２０７と接続するものでもかまわない。例えば、取付部２０１の先端部の外周面と先端面とが受電端子２０２として機能するとともに、保持部７０１が受電端子２０２と電気的にも接続するコネクタ２０７として機能してもよい。
【００８４】
（実施の形態２）
次に、本願発明に係る実施の形態２について説明する。
【００８５】
図１５は、基体にランプが取り付けられた状態の照明装置を示す斜視図である。
【００８６】
図１６は、基体からランプが取り外された状態の照明装置を示す斜示図である。
【００８７】
本実施の形態に係る照明装置６００は、ランプ１００と前記ランプ１００を着脱可能に保持する基体７０３とを備える照明装置６００であって、前記ランプ１００の一端部に設けられる取付部２０１と、半導体により発光し配向性を有する第一光源３２１であって、前記取付部２０１と当該第一光源３２１とを仮想的に結ぶ軸である配置軸Ａと光軸Ｂとが交差するように当該ランプ１００内に配置される第一光源３２１と、前記ランプ１００に設けられ、前記第一光源３２１を駆動する電力を受電するための受電端子２０２と、前記ランプ１００に設けられ、前記配置軸Ａに沿った回転軸における当該ランプ１００の回転方向の位置を決定する第一係合部２２１と、前記基体７０３に設けられ、前記取付部２０１が取り付けられて前記ランプ１００を保持する保持手段７０１と、前記第一係合部２２１と前記保持手段７０１とが係りあった状態において、０度の回転角度で前記回転軸を中心とした前記ランプ１００の回転を可能とする回転部、すなわち、配置軸Ａに沿った方向に前記取付部２０１（または、取付部２０１の一部）が挿入される挿入部２２６と、前記挿入部２２６の端部に設けられ、前記第一係合部２２１と係合し前記光軸Ｂの前記基体７０３に対する方向を決定する第二係合部２２２と、前記第一光源３２１を駆動する駆動手段８００とを備えている。
【００８８】
以下、各構成要素について説明するが、前記実施の形態１と同じ機能を備えるものには同じ符号を付し、その説明を省略する場合がある。
【００８９】
取付部２０１は、図１６に示すように、ランプ１００の一端部に設けられる部分であり、取付部２０１を保持することでランプ１００の全体を保持することができる構造的強度を備える部分である。本実施の形態の場合、取付部２０１の先端部の外観形状はＸＺ平面の断面形状が長円又は楕円のＹ軸方向に延びる形状となっており、取付部２０１の先端部と保持手段７０１とが嵌合した状態で配置軸Ａの方向（図中Ｙ軸方向）に挿入可能で、保持手段７０１に挿入した状態で、ランプ１００を回転させることのできない形状となっている。また、取付部２０１は、前記棒形状の先端部と筐体２００とを結ぶ連結部を備えている。
【００９０】
第一光源３２１を含む光源３２０は、配置軸Ａに沿って並べて配置されており、個々の光軸Ｂは同じ方向に向くように基板３０１上に配置されている。さらに、基板３０１上の光源３２０は、蛍光体含有部材３０２（図示せず）で封止されており、発光モジュール３００が形成されている。本実施の形態の場合、配置軸Ａに基板３０１の長さ方向が揃うように二つの発光モジュール３００が配置されており、さらに、二つの前記発光モジュール３００の並行に、さらに、二つの発光モジュール３００が配置されている。
【００９１】
すなわち、配置軸Ａ上に並べられた複数の光源３２０を複数列備えており、それらが相互に平行となるように配置されている。
【００９２】
受電端子２０２は、取付部２０１の内方から外方に向いて配置軸Ａに沿って突き出るように設けられる２本の棒状の端子であり、保持手段７０１に取り付けられることにより保持手段７０１に設けられたコネクタ２０７と結合するものとなっている。
【００９３】
駆動手段８００（本実施の形態において図示せず）は、第一光源３２１を含む配置軸Ａの上に一列に並べられた光源３２０を駆動する第一の駆動手段８００と、他の列の光源３２０を駆動する第二の駆動手段８００とを備えている。駆動手段８００は、取付部２０１の内方に配置されている。
【００９４】
第一係合部２２１は、取付部２０１の先端部において、配置軸Ａと交差する方向に張り出した部分である。
【００９５】
筐体２００は、第一光源３２１を含む光源３２０を内方に収容する部材であり、本実施の形態の場合、配置軸Ａと垂直な断面（ＺＸ平面における断面）の形状が配置軸Ａの方向に連続して同じ形状の部材で、光源３２０に対向する部分が開口する部材である。なお、本実施の形態の場合、可視光領域の光を高効率で透過させることのできる部材、例えばガラスやポリカーボネート等の樹脂で構成された板状の部材で前記開口が覆われている。また、筐体２００は、取付部２０１から配置軸Ａに沿って延びた状態で配置されており、筐体２００の一端は、取付部２０１により閉塞され、他端は閉塞部材２０４で閉塞されている。
【００９６】
筐体２００は、金属などの可視光領域において透光性を備え無い部材で形成されている。
【００９７】
図１７は、保持手段を示す斜示図である。
【００９８】
同図に示すように、保持手段７０１は、基体７０３に設けられ、取付部２０１の先端部が挿入されてランプ１００を保持する部材である。保持手段７０１は、凹陥した挿入部２２６と第二係合部２２２とを備えている。
【００９９】
挿入部２２６は、第一係合部２２１と保持手段７０１とが係りあった状態において、配置軸Ａ方向の取付部２０１の進入を可能とする凹陥部であり、中央にコネクタ２０７を備えている。本実施の形態の場合、取付部２０１を挿入部２２６に挿入することで、受電端子２０２とコネクタ２０７とが電気的に接続できるものとなっている。
【０１００】
第二係合部２２２は、挿入部２２６の端部に設けられ、第一係合部２２１と係合し光軸Ｂの基体７０３に対する方向を決定する部分である。本実施の形態の場合、第一係合部２２１と第二係合部２２２とが係合した状態において、ランプ１００は配置軸Ａと直交する面において回転することができない。従って、第一係合部２２１と第二係合部２２２とが係りあうことで、基体７０３に対する光源３２０の光軸Ｂの方向が決まることとなる。
【０１０１】
以上の照明装置６００によれば、第一光源３２１と取付部２０１とを仮想的に結ぶ軸である配置軸Ａと第一光源３２１の光軸Ｂとが交差するように配置されるランプ１００を、保持手段７０１に差し込むだけで、基体７０３に対する光軸Ｂの方向を決定した状態で取り付けることができる。従って、ランプ１００の挿入方向を回転軸としてランプ１００を回転させる必要がなくなり、ランプ１００の取付をさらに容易にすることができる。
【０１０２】
なお、本願発明は、上記二つの実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【０１０３】
例えば、回転角度Ｅを０度と選定した場合、基体７０３に対してランプ１００は回転することなく取り付けられるが、この場合も請求の範囲に記載の通り、本願発明に含まれる。
【０１０４】
また、第二光源３２２以外にも複数の光源３２０が光軸Ｂをそろえ、配置軸Ａに沿って基板３０１状に実装した場合を示したが、少なくとも第一光源３２１を備えていれば、本願発明に含まれる。また、光軸がそろっていない光源３２０や、配置軸Ａから外れた光源３２０を備えていても、本願発明に含まれる。
【０１０５】
また、「垂直」や「沿う」「そろう」などの文言は、本願発明の趣旨を逸脱しない程度の誤差（ひろがり）を許容する意味で使用している。
【産業上の利用可能性】
【０１０６】
本願発明は、白熱灯や蛍光灯の代替照明、特に、白熱灯も含む長手方向の一端部でのみランプが固定される照明装置、ランプに利用可能である。
【符号の説明】
【０１０７】
Ａ  配置軸
Ｂ  光軸
Ｃ  回転軸
Ｄ  回転方向
Ｅ  回転角度
１００  ランプ
１８０  度以上
２００  筐体
２０１  取付部
２０２  受電端子
２０４  閉塞部材
２０５  アース端子
２０６  接続端子
２０７  コネクタ
２２１  第一係合部
２２２  第二係合部
２２３  回転部
２２４  嵌合部
２２５  スリット
２２６  挿入部
３００  発光モジュール
３０１  基板
３０２  蛍光体含有部材
３０４  導線
３０５  第二接続端子
３０６  光源側端子
３０７  第二コネクタ
３０８  終端コネクタ
３０９  取付台
３２０  光源
３２１  第一光源
３２２  第二光源
６００  照明装置
７０１  保持手段
７０２  付勢板
７０３  基体
７０４  付勢手段
７０５  主面
８００  駆動手段
【図１】
0005636249.tif 000002
【図２】
0005636249.tif 000003
【図３】
0005636249.tif 000004
【図４】
0005636249.tif 000005
【図５】
0005636249.tif 000006
【図６】
0005636249.tif 000007
【図７】
0005636249.tif 000008
【図８】
0005636249.tif 000009
【図９】
0005636249.tif 000010
【図１０】
0005636249.tif 000011
【図１１】
0005636249.tif 000012
【図１２】
0005636249.tif 000013
【図１３】
0005636249.tif 000014
【図１４】
0005636249.tif 000015
【図１５】
0005636249.tif 000016
【図１６】
0005636249.tif 000017
【図１７】
0005636249.tif 000018